(57)【要約】【課題】長時間の測定に適した生体信号測定用電極及び生体信号測定装置を提供すること。【解決手段】本技術に係る生体信号測定電極は、保液部材と、電板と、被覆部材とを具備する。保液部材は、弾性変形を生じ、導電性液体が含浸された保液部材であって、生体表面に接触する接触面を有する。電板は、導電性液体に接触する。生体信号測定電極は、弾性変形を生じ、接触面を除いて保液部材を被覆する。【選択図】図４
2014057642.tif 000002
【特許請求の範囲】
【請求項１】
弾性変形を生じ、導電性液体が含浸された保液部材であって、生体表面に接触する接触面を有する保液部材と、
前記導電性液体に接触する電板と、
弾性変形を生じ、前記接触面を除いて前記保液部材を被覆する被覆部材と
を具備する生体信号測定電極。
【請求項２】
請求項１に記載の生体信号測定電極であって、
前記被覆部材は、前記導電性液体を透過しない材料からなる
生体信号測定電極。
【請求項３】
請求項１に記載の生体信号測定電極であって、
前記電板に接続する導電性部材をさらに具備し、
前記被覆部材は、前記導電性液体の前記導電性部材への接触を防止する
生体信号測定電極。
【請求項４】
請求項３に記載の生体信号測定電極であって、
前記被覆部材は、前記電板に密着することによって、その弾性力により前記導電性液体を封止する
生体信号測定電極。
【請求項５】
請求項１に記載の生体信号測定電極であって、
前記被覆部材は、前記接触面に垂直な方向を伸縮方向とする蛇腹形状を有する
生体信号測定電極。
【請求項６】
弾性変形を生じ導電性液体を保持する保液部材であって生体表面に接触する接触面を有する保液部材と、前記導電性液体に接触する電板と、弾性変形を生じ前記接触面を除いて前記保液部材を被覆する被覆部材とを有する生体信号測定電極と、
前記生体信号測定電極を支持し、前記生体信号測定電極を生体表面に当接させる装具と
を具備する生体信号測定装置。
【請求項７】
請求項６に記載の生体信号測定装置であって、
前記装具は、前記生体信号測定電極を被測定者の頭部に当接させ、
前記生体信号測定電極は、前記被測定者の脳波を取得する
生体信号測定装置。
【発明の詳細な説明】
【技術分野】
【０００１】
本技術は、生体信号の測定に利用される生体信号測定電極及び生体信号測定装置に関する。
【背景技術】
【０００２】
生体信号（脳波、筋電図等、生体から測定可能な各種信号）を測定するための生体信号測定電極は、生体表面に接触し、生体表面に電気的に接続されることによって生体信号を取得する。このような生体信号測定電極は、生体表面との電気的接続を確保するため、導電性液体を介して生体表面に接触するものが一般的である。
【０００３】
例えば、特許文献１に開示されている脳波測定用電極は、電解質溶液が含浸されたフェールトを有し、フェールトが被測定者の頭部に接触すると、電解質溶液を介して脳波を取得するように構成されている。
【先行技術文献】
【特許文献】
【０００４】
【特許文献１】特開２００８−３０２０８９号公報
【発明の概要】
【発明が解決しようとする課題】
【０００５】
しかしながら、被測定者の睡眠中の脳波を継続して測定する場合等、測定時間が長時間に及ぶ場合には、特許文献１に記載の脳波測定用電極や、同様の構成を有する既存の電極では、導電性液体が蒸発し、生体表面との電気的接続が維持できなくなるおそれがある。また、生体表面への電極の長時間の接触によって、生体表面に痛みが生じることも多い。加えて、特に睡眠中の脳波測定の場合には、被測定者が仰臥姿勢をとっても利用できる電極が望まれる。
【０００６】
以上のような事情に鑑み、本技術の目的は、長時間の測定に適した生体信号測定用電極及び生体信号測定装置を提供することにある。
【課題を解決するための手段】
【０００７】
上記目的を達成するため、本技術に係る生体信号測定電極は、保液部材と、電板と、被覆部材とを具備する。
上記保液部材は、弾性変形を生じ、導電性液体が含浸された保液部材であって、生体表面に接触する接触面を有する。
上記電板は、上記導電性液体に接触する。
上記生体信号測定電極は、弾性変形を生じ、上記接触面を除いて上記保液部材を被覆する。
【０００８】
この構成によれば、導電性液体が含浸された保液部材と、保液部材を被覆する被覆部材が共に弾性変形することにより、生体信号測定電極が生体表面に押圧された場合であっても、生体表面への痛みを低減することが可能である。また、生体信号測定電極が生体表面に対して振動を生じた場合であっても、保液部材と被覆部材が生体表面に追随し、継続して生体信号の取得が可能となる。加えて、被覆部材が保液部材を被覆することにより、保液部材に含浸された導電性液体の蒸発を抑制し、長時間に及ぶ生体信号の測定にも対応が可能である。
【０００９】
上記被覆部材は、上記導電性液体を透過しない材料からなるものであってもよい。。
【００１０】
この構成によれば、導電性液体（その蒸気も含む）が被覆部材を透過して被覆部材の外へ漏出することを防止することが可能であり、上記被複部材による被覆によって得られる蒸発の抑制効果に加え、さらに導電性液体の蒸発を有効に抑制することが可能である。
【００１１】
上記電板に接続する導電性部材をさらに具備し、
上記被覆部材は、上記導電性液体の上記導電性部材への接触を防止してもよい。
【００１２】
電板は、導電性液体と接触しても電位変化の小さい材料（銀塩化銀等）からなるものとすることが可能であり、これにより生体信号に電位変化ノイズが生じることを防止することが可能である。同時に、導電性液体が電板以外の導電性部材に接触すると、電位変化ノイズが生じるおそれがある。上記構成によれば、被覆部材によって導電性液体の導電性部材への接触を防止することが可能であり、即ち、生体信号に電位変化ノイズが生じることを防止することが可能となる。
【００１３】
上記被覆部材は、上記電板に密着することによって、その弾性力により上記導電性液体を封止してもよい。
【００１４】
この構成によれば、電板と被覆部材との間で導電性液体を封止することが可能であり、導電性液体の電板以外の導電性部材への接触を防止することが可能である。
【００１５】
上記被覆部材は、上記接触面に垂直な方向を伸縮方向とする蛇腹形状を有してもよい。
【００１６】
この構成によれば、蛇腹形状によって被覆部材を弾性変形させやすくすることが可能である。
【００１７】
上記目的を達成するため、本技術に係る生体信号測定装置は、生体信号測定電極と、装具とを具備する。
上記生体信号測定電極は、弾性変形を生じ導電性液体を保持する保液部材であって生体表面に接触する接触面を有する保液部材と、上記導電性液体に接触する電板と、弾性変形を生じ上記接触面を除いて上記保液部材を被覆する被覆部材とを有する。
上記装具は、上記生体信号測定電極を支持し、上記生体信号測定電極を生体表面に当接させる。
【００１８】
この構成によれば、装具が生体表面に押圧され、又は生体表面に対して振動した場合であっても、上述のように生体信号測定電極によって有効に生体信号を測定することが可能である。
【００１９】
上記装具は、上記生体信号測定電極を被測定者の頭部に当接させ、
上記生体信号測定電極は、上記被測定者の脳波を取得してもよい。
【００２０】
上述のように、当該生体信号測定電極は、生体表面への痛みを生じさせず、生体信号測定電極の振動に対して継続して生体信号を測定することができ、かつ、導電性液体の蒸発を抑制することができるものである。このため、当該生体信号測定電極は各種生体信号の測定に利用することができるが、特に脳波測定用電極としての利用に適するものである。
【発明の効果】
【００２１】
以上のように、本技術によれば、長時間の測定に適した生体信号測定用電極及び生体信号測定装置を提供することが可能である。
【図面の簡単な説明】
【００２２】
【図１】本技術の実施形態に係る生体信号測定装置の斜視図である。
【図２】同生体信号測定装置の外観図である。
【図３】同生体信号測定装置の外観図である。
【図４】本技術の実施形態に係る生体信号測定電極の断面図である。
【図５】同生体信号測定電極の分解斜視図である。
【図６】同生体信号測定電極の分解斜視図である
【図７】同生体信号測定電極の被覆部材の断面図である。
【図８】同生体信号測定電極の動作を示す模式図である。
【図９】同生体信号測定電極の変形例を示す模式図である。
【発明を実施するための形態】
【００２３】
本技術の実施形態に係る生体信号測定装置について説明する。なお、本実施形態に係る生体信号測定装置は、被測定者の頭部に装着され、脳波を取得する脳波測定用の装置であるものとする。しかしながら、本技術に係る生体信号測定装置は、脳波測定用の装置に限定されず、本技術は生体表面から生体信号を取得するあらゆる測定装置に適用することが可能である。
【００２４】
［生体信号測定装置の構成］
図１は、本実施形態に係る生体信号測定装置１００の斜視図である。図２及び図３は、被測定者（図中、被測定者Ｕ）に装着された生体信号測定装置１００を示す外観図であり、図２は被測定者Ｕの左側方からみた図、図３は被測定者Ｕの後方からみた図である。
【００２５】
これらの図に示すように、生体信号測定装置１００は、装具１０１、電極１０２ａ〜１０２ｈ、信号処理部１０３を有する。電極１０２ａ〜１０２ｈ及び信号処理部１０３は装具１０１に取り付けられている。
【００２６】
装具１０１は、生体信号測定装置１００を被測定者Ｕの頭部に接触させる。装具１０１の構成は任意であるが、被測定者Ｕの頭部形状に適合する形状とすることができ、電極１０２ａ〜１０２ｈを頭部に適当な押圧力で押圧することが可能なものが好適である。
【００２７】
電極１０２ａ〜１０２ｈは、被測定者Ｕの頭部に当接し、被測定者Ｕの脳波を取得する脳波取得用電極である。電極１０２ａ〜１０２ｈはそれぞれ、右眼電電極１０２ａ、左眼電電極１０２ｂ、Ｃｚ測定電極１０２ｃ、Ｐｚ測定電極１０２ｄ、Ｐ４測定電極１０２ｅ、Ｐ３測定電極１０２ｆ、右基準電極１０２ｇ、左基準電極１０２ｈであるものとすることができる。これらの配置（名称）は国際１０／２０法に準拠したものであるが、本実施形態に係る生体信号測定装置１００においては必ずしもこの電極配置である必要はなく、必要に応じて異なる電極配置とすることも可能である。
【００２８】
電極１０２ａ〜１０２ｈは、後述する本技術に係る電極構造を有するものとすることができる。また、電極１０２ａ〜１０２ｈの全てが本技術に係る電極構造を有するものでなくてもよい。
【００２９】
右眼電電極１０２ａ及び左眼電電極１０２ｂは被測定者Ｕの両こめかみに当接し、眼電図（ＥＯＧ：electro oculogram)を測定するための電極である。右眼電電極１０２ａ及び左眼電電極１０２ｂは、装具１０１から被測定者Ｕの左右こめかみに伸びるアーム１０４に設けられるものとすることができる。
【００３０】
Ｃｚ測定電極１０２ｃは、装具１０１の頭頂部に相当する位置に設けられ、被測定者Ｕの頭頂部に当接する電極である。Ｐｚ測定電極１０２ｄは、装具１０１の後頭部上方に相当する位置に設けられて、被測定者Ｕの後頭部上方に当接する電極である。
【００３１】
Ｐ４測定電極１０２ｅは、装具１０１の右側頭部上方に相当する位置に設けられ、被測定者Ｕの右側頭部上方に当接する電極である。Ｐ３測定電極１０２ｆは、装具１０１の左側頭部情報に相当する位置に設けられ、被測定者Ｕの左側頭部上方に当接する電極である。
【００３２】
Ｃｚ測定電極１０２ｃ、Ｐｚ測定電極１０２ｄ、Ｐ４測定電極１０２ｅ及びＰ３測定電極１０２ｆはそれぞれ接触する位置の電位（脳波）を取得する。なお、これらの電極１０２ｃ〜１０２ｆの数や配置は任意であり、脳波測定の必要に応じて設けられるものとすることができる。
【００３３】
右基準電極１０２ｇは装具１０１の右乳様突起に相当する位置に設けられ、被測定者Ｕの右乳様突起（右側頭骨の後下方部にある円錐状の突起）に当接する電極である。左基準電極１０２ｈは装具１０１の左乳様突起に相当する位置に設けられ、被測定者Ｕの左乳様突起（左側頭骨の後下方部にある円錐状の突起）に当接する電極である。右基準電極１０２ｇ及び左基準電極１０２ｈは、上記各電極１０２ａ〜１０２ｆの基準電位を取得する。
【００３４】
上記各電極１０２ａ〜１０２ｈは、図示しない配線によって信号処理部１０３に電気的に接続されているものとすることができる。
【００３５】
信号処理部１０３は、上述のように各電極１０２ａ〜１０２ｈに接続され、各電極１０２ａから１０２ｈの出力を処理し、各測定位置における被測定者Ｕの脳波を生成すると共に、生成した脳波を外部機器（ＰＣ等）に出力する。信号処理部１０３は、図示しない信号処理回路、無線通信回路、電池等を内蔵するものとすることができる。信号処理部１０３における脳波の生成は公知の信号処理によって実行されるものとすることができる。
【００３６】
［生体信号測定電極の構成］
上述のように、生体信号測定装置１００の電極１０２ａ〜１０２ｈの一部又は全部は、以下に説明する電極構造を有するものとすることができる。以下の説明において電極１０２ａ〜１０２ｈに利用可能な電極を生体信号測定電極２００とする。
【００３７】
図４は生体信号測定電極２００の断面図であり、図５及び図６は生体信号測定電極２００の分解斜視図である。これらの図に示すように、生体信号測定電極２００は、保液部材２０１、被覆部材２０２、電板２０３、配線２０４、導電性部材２０５、第１絶縁性部材２０６及び第２絶縁性部材２０７から構成されている。
【００３８】
保液部材２０１は、弾性変形可能に構成され、導電性液体を含浸する。保液部材２０１は、スポンジ等の液体を保持することが可能であり、弾性変形が可能な材料からなるものとすることができる。また、保液部材２０１は、電解質を含むゲル状の材料からなるものとすることも可能である。保液部材２０１の形状は、円柱状とすることができるがこれに限定されず、角柱状、半球状等の各種形状とすることも可能である。また、保液部材２０１は、複数であってもよい。
【００３９】
図４に示すように、保液部材２０１の表面のうち、被覆部材２０２から露出し、生体表面に接触する面を接触面２０１ａとする。なお、接触面２０１ａは平坦面でなくてもよい。保液部材２０１に含浸される導電性液体は特に限定されず、食塩等の電解質が溶解した電解質溶液やイオン液体等とすることができる。
【００４０】
保液部材２０１に含浸されている導電性液体は、電板２０３に接触し、電板２０３に導通する。保液部材２０１は、図４に示すように電板２０３に直接接触しないものであってもよい。この場合、保液部材２０１が押圧されると、保液部材２０１から導電性液体が染み出し、電板２０３に導通する。また、保液部材２０１は、図９に示すように、電板２０３に直接接触するものとすることも可能である。
【００４１】
被覆部材２０２は、保液部材２０１を接触面２０１ａを除いて被覆する。図７は、被覆部材２０２を示す断面図である。同図に示すように、被覆部材２０２は、被覆部２０２ａ、封止部２０２ｂ及び係合部２０２ｃから構成されているものとすることができる。
【００４２】
被覆部２０２ａは、保液部材２０１を被覆する部分であり、弾性変形可能に構成されている。被覆部２０２ａは、接触面２０１ａを露出させるための開口２０２ｄを有する筒状形状を有する。具体的には、被覆部２０２ａは、接触面２０１ａに垂直な方向を伸縮方向（後述）とする蛇腹形状（ベローズ形状）に形成されているものとすることができる。また、被覆部２０２ａは、蛇腹形状に限定されず、円筒状形状やテーパー筒状形状とすることも可能である。
【００４３】
被覆部２０２ａは、図４に示すように、保液部材２０１の大部分を被覆することが可能な長さを有し、開口２０２ｄの大きさが保液部材２０１と接触しない範囲でなるべく小さいものが好適である。これは、保液部材２０１に含まれた導電性液体の蒸発を効果的に防止するためである。なお、被覆部２０２ａの長さは保液部材２０１の長さより長くてもよい。
【００４４】
封止部２０２ｂは、保液部材２０１に含浸されている導電性液体の、導電性部材２０５への接触を防止する。具体的には、封止部２０２ｂは、図４に示すように電板２０３に当接し、弾性力によって電板２０３に密着することによって、封止部２０２ｂと電板２０３の間で導電性液体を封止するものとすることができる。より詳細には、封止部２０２ｂは、第２絶縁性部材２０７と電板２０３によって挟持される環状の構造であり、それに対する弾性力によって電板２０３に密着するように構成されている。
【００４５】
係合部２０２ｃは、第２絶縁性部材２０７に係合することによって、被覆部材２０２を第２絶縁性部材２０７等に対して支持する。係合部２０２ｃの構造は特に限定されず、被覆部材２０２を支持可能な構造であればよい。
【００４６】
被覆部材２０２の材料としては、弾性変形が可能であり、導電性液体（その蒸気も含む）を透過しない材料、具体的にはシリコーンゴムやニトリルゴム等を利用することができる。被覆部材２０２の材料はこの他に、導電性液体の性質（親水性か親油性か等）や、被覆部材２０２に要求される柔らかさ等に応じて適宜選択することが可能である。
【００４７】
電板２０３は、保液部材２０１に含まれる導電性液体に接触し、この導電性液体に導通する。電板２０３は、導電性液体に接触しても、電位変化の少ない（酸化還元反応を生じにくい）材料、例えば銀塩化銀（Ａｇ−Ａｇ／Ｃｌ）やカーボンからなるものとすることができる。電板２０３は、電板２０３に接続された配線２０４を介して導電性部材２０５にも電気的に接続される。
【００４８】
このような構成によって、電板２０３のみが導電性液体に接触し、かつ導電性液体と導電性部材２０５とを電気的に接続することが可能である。導電性液体が電板２０３以外の導電性材料（導電性部材２０５等）に接触すると、電位変化が生じ、取得した生体信号に電位変化ノイズが生じてしまうので、導電性液体の電板２０３以外の導電性材料への接触は避けなければならない。上述のように、本実施形態においては、封止部２０２ｂによって、導電性液体が封止され、このような接触が防止されている。
【００４９】
配線２０４は、電板２０３に接続され、電板２０３と導電性部材２０５を電気的に接続する。配線２０４は任意の導電性材料からなり、図５及び図６に示すように第１絶縁性部材２０６に設けられた貫通孔２０６ａ及び導電性部材２０５に設けられた貫通孔２０５ａに挿通され、導電性部材２０５に接続されるものとすることができる。
【００５０】
導電性部材２０５は、電板２０３と、外部（装具１０１に設けられた端子等）とを電気的に接続する。また、導電性部材２０５は、生体信号測定電極２００を装具１０１（図１参照）に固定するための留め具として利用することも可能である。導電性部材２０５には、配線２０４が挿通される貫通孔２０５ａが形成されている。導電性部材２０５は、第１絶縁性部材２０６によって電板２０３との直接の接触が防止され、貫通孔２０５ａに挿通された配線２０４によって電板２０３と電気的に接続されるものとすることができる。導電性部材２０５は、任意の導電性材料からなるものとすることができ、その形状も特に限定されない。例えば、貫通孔２０５ａが設けられず、配線２０４が導電性部材２０５に接続されるものとすることも可能である。
【００５１】
第１絶縁性部材２０６は、電板２０３と導電性部材２０５の直接の接触を防止する。第１絶縁性部材２０６は任意の絶縁性材料、例えば各種合成樹脂からなるものとすることができる。第１絶縁性部材２０６には、配線２０４を挿通させるための貫通孔２０６ａが形成されるものとすることができる。また、第１絶縁性部材２０６は、図４に示すように、電板２０３を介して第２絶縁性部材２０６に嵌め込まれ、電板２０３を封止部２０２ｂに押圧することによって、封止部２０２ｂに封止のための弾性力を生じさせるものとすることが可能である。
【００５２】
第２絶縁性部材２０７は、第１絶縁性部材２０６や被覆部材２０２を支持ずる。第２絶縁性部材２０７は任意の絶縁性材料、例えば各種合成樹脂からなるものとすることができる。第２絶縁性部材２０７は、上述のようにその外周に係合部２０２ｃが係合されるものとすることができる。また、第２絶縁性部材２０７は、封止部２０２ｂを電板２０３と共に挟持するものとすることができる。
【００５３】
生体信号測定電極２００は以上のような構成を有する。
【００５４】
［生体信号測定電極の動作］
図８は、生体信号測定電極２００の動作を示す模式図である。図８において生体表面を生体表面Ｈとして示す。生体表面Ｈは、例えば上記被測定者Ｕの頭部表面である。なお、図８において図示は省略するが、生体信号測定電極２００は装具１０１に取り付けられているものとする。
【００５５】
図８（ａ）は生体信号測定電極２００が生体表面Ｈにわずかな押圧力によって押圧されている状態を示す。この状態では、保液部材２０１がわずかに変形し、含浸されている導電性液体を介して生体表面Ｈと導電性部材２０５が電気的に接続され、生体信号が取得される。
【００５６】
図８（ａ）に示す状態から、より強い押圧力で生体信号測定電極２００が生体表面Ｈに押圧されると、保液部材２０１と被覆部材２０２（の被覆部２０２ａ）が生体表面に押圧されることによって、図８（ｂ）に示すように保液部材２０１と被覆部材２０２が弾性変形する。被覆部２０２ａは、接触面２０１ａに垂直な方向（図８（ｂ）に矢印で示す）を伸縮方向とする。生体信号測定電極２００が生体表面Ｈに対して傾いた場合であっても、保液部材２０１及び被覆部２０２ａは生体表面Ｈに追随して弾性変形する。
【００５７】
保液部材２０１及び被覆部２０２ａがこのように弾性変形することによって、生体信号測定電極２００が生体表面Ｈに押圧された場合であっても、押圧力が吸収され、生体表面Ｈにおいて痛みが生じない。また、装具１０１が生体表面Ｈに対して振動（生体表面Ｈに垂直な方向の振動及び生体表面Ｈに平行な方向の振動）を生じた場合であっても、接触面２０１ａが生体表面Ｈへの接触位置を維持し、継続して生体信号の取得が可能である。
【００５８】
さらに、被覆部２０２ａは、生体信号測定電極２００が生体表面Ｈに押圧されている間は常に生体表面Ｈに接触する。これにより被覆部２０２ａは、生体表面Ｈと共に、保液部材２０１を内包する空間を封止し、保液部材２０１に含浸されている導電性液体の蒸発を防止することが可能である。この導電性液体の蒸発防止効果は、被覆部材２０２を、当該導電性液体が透過しない材料からなるものとすることによってより有効となる。
【００５９】
以上のように本実施形態に係る生体信号測定電極２００及び生体信号測定電極２００を備える生体信号測定装置１００は、生体信号測定電極２００の生体表面への押圧による痛みを生じさせず、生体信号測定電極２００の生体表面に対する振動に対しても生体信号の取得を継続することができる。さらに、導電性液体の蒸発を防止することが可能である。このため、生体信号測定電極２００及び生体信号測定電極２００を備える生体信号測定装置１００は、生体信号測定に対して有効であり、特に長時間の生体信号測定に対して有効である。
【００６０】
生体信号測定電極２００及び生体信号測定電極２００を備える生体信号測定装置１００を睡眠中の脳波測定に利用する場合においては、被測定者の睡眠を妨げる電極の接触による痛みや睡眠時の体動による電極の接触不良を防止することができる。さらに、長時間の測定による導電性液体の蒸発を抑制することが可能である。また、脳波測定においては、被測定者の後頭部に生体信号測定電極２００が配置される（例えば図１のＰｚ測定電極１０２ｄ）場合がある。ここで、被測定者が仰臥姿勢にあり、枕等によって後頭部に配置された生体信号測定電極２００に押圧力が加わっても、電極による痛みを生じさせないことが可能である。
【００６１】
本技術は、上記各実施形態にのみ限定されるものではなく、本技術の要旨を逸脱しない範囲内において変更することが可能である。
【００６２】
なお、本技術は以下のような構成も採ることができる。
【００６３】
（１）
弾性変形を生じ、導電性液体が含浸された保液部材であって、生体表面に接触する接触面を有する保液部材と、
上記導電性液体に接触する電板と、
弾性変形を生じ、上記接触面を除いて上記保液部材を被覆する被覆部材と
を具備する生体信号測定電極。
【００６４】
（２）
上記（１）に記載の生体信号測定電極であって、
上記被覆部材は、上記導電性液体を透過しない材料からなる
生体信号測定電極。
【００６５】
（３）
上記（１）又は（２）に記載の生体信号測定電極であって、
上記電板に接続する導電性部材をさらに具備し、
上記被覆部材は、上記導電性液体の上記導電性部材への接触を防止する
生体信号測定電極。
【００６６】
（４）
上記（１）乃至（３）のいずれか一つに記載の生体信号測定電極であって、
上記被覆部材は、上記電板に密着することによって、その弾性力により上記導電性液体を封止する
生体信号測定電極。
【００６７】
（５）
上記（１）乃至（４）のいずれか一つに記載の生体信号測定電極であって、
上記被覆部材は、上記接触面に垂直な方向を伸縮方向とする蛇腹形状を有する
生体信号測定電極。
【００６８】
（６）
弾性変形を生じ導電性液体を保持する保液部材であって生体表面に接触する接触面を有する保液部材と、上記導電性液体に接触する電板と、弾性変形を生じ上記接触面を除いて上記保液部材を被覆する被覆部材とを有する生体信号測定電極と、
上記生体信号測定電極を支持し、上記生体信号測定電極を生体表面に当接させる装具と
を具備する生体信号測定装置。
【００６９】
（７）
上記（６）に記載の生体信号測定装置であって、
上記装具は、上記生体信号測定電極を被測定者の頭部に当接させ、
上記生体信号測定電極は、上記被測定者の脳波を取得する
生体信号測定装置。
【符号の説明】
【００７０】
１００…生体信号測定装置
１０１…装具
１０２ａ〜１０２ｈ…電極
２００…生体信号測定電極
２０１…保液部材
２０２…被覆部材
２０３…電板
２０５…導電性部材
【図１】
2014057642.tif 000003
【図２】
2014057642.tif 000004
【図３】
2014057642.tif 000005
【図４】
2014057642.tif 000006
【図５】
2014057642.tif 000007
【図６】
2014057642.tif 000008
【図７】
2014057642.tif 000009
【図８】
2014057642.tif 000010
【図９】
2014057642.tif 000011